(57)【要約】【課題】撮像ユニットへのゴミの付着を効果的に抑制できるデジタルカメラを提供する。【解決手段】ミラーボックス２０内の空間とカメラボディ１００の外部（外界）とを連通する空気排出通路４０を設け、ミラーユニット３０の回動によって移動するミラーボックス２０内の空気を空気排出通路４０を経由して外部へ排出できるように構成した。また、空気排出通路４０上に空気排出通路４０を閉止または開放する逆止弁４３を設けるように構成した。これにより、ミラーボックス２０内のゴミを外部に排出して、光学フィルタ１３ｂへのゴミの付着を抑制できる。また、排出部４２から空気排出通路４０を介してミラーボックス２０内の空間にゴミが侵入するのを防止できる。【選択図】図２
2009058719.tif 000002
【特許請求の範囲】
【請求項１】
カメラ本体に対して着脱可能な撮影レンズからの光束を撮像ユニットに導く空間を形成する導光部と、
前記導光部の内部に配置され、前記撮影レンズから前記撮像ユニットまでの撮影光路に挿入されて前記光束を反射する観察位置と前記撮影光路から退避する撮影位置との間を回動可能なミラーユニットと、
前記導光部と前記カメラ本体の外部とを連通して、前記ミラーユニットの回動によって移動する空気を前記導光部から前記カメラ本体の外部へ排出する空気排出通路とを備えることを特徴とするデジタルカメラ。
【請求項２】
請求項１に記載のデジタルカメラにおいて、
前記空気排出通路は、前記ミラーユニットの回動によって移動する空気が流入する流入部と、前記流入した空気が排出される排出部とを有することを特徴とするデジタルカメラ。
【請求項３】
請求項２に記載のデジタルカメラにおいて、
前記カメラ本体の前側に設けられて前記撮影レンズが着脱されるマウント部をさらに備え、
前記流入部は、前記導光部の下部前方に設けられ、
前記排出部は、前記マウント部の下部に設けられていることを特徴とするデジタルカメラ。
【請求項４】
請求項２または請求項３に記載のデジタルカメラにおいて、
前記空気排出通路に設けられ、前記ミラーユニットの回動によって移動する空気を外界に排出する際に開く排気弁をさらに備えることを特徴とするデジタルカメラ。
【請求項５】
請求項４に記載のデジタルカメラにおいて、
前記排気弁は、前記排出部の近傍に設けられていることを特徴とするデジタルカメラ。
【請求項６】
請求項４または請求項５に記載のデジタルカメラにおいて、
前記排気弁は、前記ミラーユニットの回動によって移動する空気の流れによって開くことを特徴とするデジタルカメラ。
【請求項７】
請求項４または請求項５に記載のデジタルカメラにおいて、
前記ミラーユニットの回動に連動して前記排気弁を開閉駆動する排気弁駆動手段をさらに備えることを特徴とするデジタルカメラ。
【請求項８】
請求項２〜６のいずれか一項に記載のデジタルカメラにおいて、
前記排出部は、前記排出部を閉塞可能な蓋部材を着脱可能に形成されていることを特徴とするデジタルカメラ。
【発明の詳細な説明】
【技術分野】
【０００１】
本発明は、デジタルカメラに関する。
【背景技術】
【０００２】
ミラーボックスの下方にＬＥＤ等の照明手段を設け、ミラーボックス下面に設けた開口を通して撮像ユニットを照明し、光学フィルタに付着したゴミ（異物）を検出するカメラがある（例えば、特許文献１参照）。
【０００３】
【特許文献１】特開２００２−３００４４２号公報
【発明の開示】
【発明が解決しようとする課題】
【０００４】
上述した特許文献１の構造は、あくまでも撮像ユニットに付着したゴミを検出するもので、付着したゴミを除去することはできない。
【課題を解決するための手段】
【０００５】
（１）  請求項１の発明によるデジタルカメラは、カメラ本体に対して着脱可能な撮影レンズからの光束を撮像ユニットに導く空間を形成する導光部と、導光部の内部に配置され、撮影レンズから撮像ユニットまでの撮影光路に挿入されて光束を反射する観察位置と撮影光路から退避する撮影位置との間を回動可能なミラーユニットと、導光部とカメラ本体の外部とを連通して、ミラーユニットの回動によって移動する空気を導光部からカメラ本体の外部へ排出する空気排出通路とを備えることを特徴とする。
（２）  請求項２の発明は、請求項１に記載のデジタルカメラにおいて、空気排出通路は、ミラーユニットの回動によって移動する空気が流入する流入部と、流入した空気が排出される排出部とを有することを特徴とする。
（３）  請求項３の発明は、請求項２に記載のデジタルカメラにおいて、カメラ本体の前側に設けられて撮影レンズが着脱されるマウント部をさらに備え、流入部は、導光部の下部前方に設けられ、排出部は、マウント部の下部に設けられていることを特徴とする。
（４）  請求項４の発明は、請求項２または請求項３に記載のデジタルカメラにおいて、空気排出通路に設けられ、ミラーユニットの回動によって移動する空気を外界に排出する際に開く排気弁をさらに備えることを特徴とする。
（５）  請求項５の発明は、請求項４に記載のデジタルカメラにおいて、排気弁は、排出部の近傍に設けられていることを特徴とする。
（６）  請求項６の発明は、請求項４または請求項５に記載のデジタルカメラにおいて、排気弁は、ミラーユニットの回動によって移動する空気の流れによって開くことを特徴とする。
（７）  請求項７の発明は、請求項４または請求項５に記載のデジタルカメラにおいて、ミラーユニットの回動に連動して排気弁を開閉駆動する排気弁駆動手段をさらに備えることを特徴とする。
（８）  請求項８の発明は、請求項２〜６のいずれか一項に記載のデジタルカメラにおいて、排出部は、排出部を閉塞可能な蓋部材を着脱可能に形成されていることを特徴とする。
【発明の効果】
【０００６】
本発明によれば、撮像ユニットに付着したゴミを除去できる。
【発明を実施するための最良の形態】
【０００７】
−−−第１の実施の形態−−−
図１〜１５を参照して、本発明によるデジタルカメラの第１の実施の形態を説明する。図１は本実施形態における一眼レフタイプのデジタルカメラの正面図、図２はそのＡ−Ａ線断面図である。カメラボディ１００には、レンズマウント１１の後方に撮影光路を形成するミラーボックス２０が設けられ、その後方にシャッタ１２が、更にその後方に撮像ユニット１３が配置される。またミラーボックス２０の上方には、ファインダ光学系６０が配置される。カメラボディ１００の前面には前カバー１０１が取り付けられている。
【０００８】
レンズマウント１１には交換レンズ（撮影レンズ）２００が装着され、交換レンズ２００を透過した被写体光束は、レンズマウント１１の開口からミラーボックス２０内に入射する。すなわち、ミラーボックス２０は、撮影レンズ２００からの光束を撮像ユニット１３に導く空間を形成する。ミラーボックス２０内にはミラーユニット３０が配置されている。
【０００９】
図３は、本実施形態のデジタルカメラの概略構成を示すブロック図である。
撮影レンズ２００を通して入力される被写体光束は、後述するようにミラーユニット３０が観察位置にあるときはミラーユニット３０で反射されてファインダ光学系に入射し、撮影位置にあるときは、撮像ユニット１３に入射して撮像される。撮像ユニット１３から出力された画像信号は、一時的に不図示のバッファメモリに格納され、制御回路７１でホワイトバランス処理、色変換処理、階調補正処理などの周知の画像処理が施される。制御回路７１において処理された画像データは、ＪＰＥＧ方式などの周知の方法で圧縮されて、カメラ本体に対して着脱自在で、メモリカードスロット７２に挿入されているメモリカード７３に記録される。なお、画像データの記録先は、カメラ本体に対して着脱可能なメモリカード７３でもよいし、カメラ本体に内蔵のメモリ７９でもよい。
【００１０】
操作部７４は、デジタルカメラを操作するための各種操作部材である。レリーズボタンや後述するゴミ取り操作を指示する操作部材などが含まれる。撮影レンズ検出部７６は、撮影レンズ２００のカメラ本体からの着脱を検出する。撮影レンズ検出部７６で検出した撮影レンズ２００の着脱の信号は制御回路７１に送られ、撮影レンズ２００の着脱に応じてゴミ取り操作を行ってもよい。また電源部７７からは電源のオン・オフに関する信号が制御回路７１に送られ、電源のオン・オフに応じてゴミ取り操作を行ってもよい。ミラーユニット３０はミラー駆動回路７８を経由して制御回路７１から制御され、撮影時のみならずゴミ取り操作を行うときにも駆動される。ゴミ取り操作に関しては後で詳しく説明する。
【００１１】
図４，図５はミラーボックス付近の拡大図であり、図６はミラーボックス２０を上方（ファインダ側）から見た概略図であり、図７は後述する排出部４２の近傍を拡大した断面図である。ミラーユニット３０は、メインミラー（ハーフミラー）およびその支持部材から成るメインミラーユニット３１と、サブミラーおよびその支持部材から成るサブミラーユニット３２とから構成される。
【００１２】
メインミラーユニット３１の一端部は、ミラーボックス後部においてカメラ横方向の軸Ｘ回りに回動可能に支持され、サブミラーユニット３２は、メインミラーユニット３１に対してカメラ横方向の軸回りに回動可能に支持される。ミラーユニット３０は、制御回路７１によりミラー駆動回路７８を介して駆動され、図４のように撮影光路内に挿入される観察位置と、図９のように撮影光路から退避する撮影位置との間で回動可能とされる。図８はミラー回動途中の状態を示す。
【００１３】
ミラーボックス２０の下方空間５０には、測光ユニット８０（図９）が設けられるとともに、その後方には焦点検出ユニットが、前方にはレンズ駆動機構（いずれも不図示）がそれぞれ配置される。測光ユニット８０は、シャッタ１２の幕面での反射光を受光して光電変換する素子を含み、その光電変換出力が測光に利用される。
【００１４】
ミラーボックス２０の下方には、ミラーボックス２０内の空間とカメラボディ１００の外部（外界）とを連通する空気排出通路４０が設けられている（図２）。空気排出通路４０は、後述するように、ミラーボックス２０内に存在する異物（ゴミ）をミラーボックス２０内の空気とともに外部へ排出するための通路である。空気排出通路４０の断面形状は、空気排出通路４０の一方の端部から他方の端部まで略一定のスリット状の形状を呈しており、横方向（左右方向）の長さが長く、縦方向の長さが短い。空気排出通路４０は一方の端部である流入部４１と、他方の端部である排出部４２とを備えている。流入部４１は、ミラーボックス２０の底板２１に設けられた開口である。排出部４２は、レンズマウント１１の下方のカメラボディ１００前面および前カバー１０１に設けられた開口である。
【００１５】
流入部４１は、図６に示すようにスリット状の開口であり、測光ユニット８０よりもレンズ側、好ましくは観察位置にあるミラーユニット３０のレンズ側端部よりも更にレンズ側に設けられている。流入部４１のカメラ前後方向の幅は本実施形態では１〜２ｍｍ程度であるが、これより狭くても広くても構わない。
【００１６】
排出部４２は、図１に示すようにスリット状の開口であり、流入部４１と略同じ寸法・形状である。空気排出通路４０上の排出部４２の近傍には、空気排出通路４０を閉止または開放する排気弁（逆止弁）４３が設けられている（図７（ａ））。逆止弁４３は、フラップ状の弁体４３０が、空気排出通路４０内で回動することで、空気排出通路４０を閉止または開放する。弁体４３０は、不図示のバネの付勢力によってカメラボディ１００の後方へ向かって回動して空気排出通路４０を閉止する。すなわち逆止弁４３は、空気排出通路４０を閉止することで、排出部４２から空気排出通路４０を介してミラーボックス２０内の空間にゴミが侵入するのを防止する。
【００１７】
さらにミラーボックス２０内へのゴミ侵入を確実に防止するため、本実施の形態のデジタルカメラを使用しないときには、図７（ｂ）に示すように、排出部４２に蓋４４を取り付けることができる。すなわち、排出部４２は、蓋４４を挿入・抜脱できるように形成されており、蓋４４を前カバー１０１の前面から排出部４２に挿入することで蓋４４が空気排出通路４０を閉止する。
【００１８】
なお、流入部４１と排出部４２との形状が異なっていてもよい。また、空気排出通路４０の一方の端部から他方の端部まで断面形状が略一定の形状でなくてもよい。
【００１９】
撮像ユニット１３は、ＣＣＤなどの撮像素子１３ａと、その前面に配置される光学フィルタ（光学ローパスフィルタや赤外カットフィルタなど）１３ｂとを一体化した部組である（図４）。シャッタ１２の開口を通過した光束は、光学フィルタ１３ｂを透過して撮像素子１３ａに受光され、撮像素子１３ａの光電変換出力から画像データが生成され、記録される。
【００２０】
以上のように構成されたカメラにおいて、非撮影時には、ミラーユニット３０は図４に示す観察位置にあって撮影光路に挿入されている。このため、ミラーボックス２０内に入射した被写体光束の一部は、メインミラーユニット３１で上方に反射されてファインダ光学系６０に入射し、接眼部６１（図２）を介して観察される。また、メインミラーユニット３１を透過した一部の光束は、サブミラーユニット３２で下方に反射され、下方空間５０に設けられた不図示の焦点検出ユニットに入射し、焦点検出に寄与する。
【００２１】
レリーズボタン１（図１）が全押し操作されると、制御回路７１は、ミラー駆動回路７５を介してミラーユニット３０を図９の撮影位置まで跳ね上げ、撮影光路から退避させる。次いでシャッタ１２が開かれ、ミラーボックス２０内に入射した被写体光束は、ミラーユニット３０に遮られることなくシャッタ開口を通過し、撮像ユニット１３に導かれる。
【００２２】
ところで、レンズマウント１１に撮影レンズ２００あるいはキャップが装着されていないときには、レンズマウント１１を介してミラーボックス２０が外部空間に連通するため、大気中を浮遊する微細なゴミがレンズマウント１１からミラーボックス２０内に侵入することがある。また、シャッタ１２の駆動などによってカメラ内で発生したゴミも、ミラーボックス２０内を浮遊している。そして、これらのゴミが撮像ユニット１３、特に光学フィルタ１３ｂの前面に付着すると、これが撮影画像に写り込んで画像の見栄えを低下させるおそれがある。
【００２３】
ゴミが光学フィルタ１３ｂに付着するメカニズムについて説明する。
図１０〜図１２は空気排出通路４０が設けられていない従来カメラを示している。図１０のようにミラーユニット３０が観察位置にあるとき、ミラーボックス２０内の空間は、前後がそれぞれ交換レンズ２００およびシャッタ１２に、上下がそれぞれファインダ光学系６０および底板２１に、左右がミラーボックス両側壁（側壁）２２（図６参照）によって空気的に閉じられている（完全密封されているわけではない）。レリーズボタンが操作され、図１１のようにミラーユニット３０が跳ね上げられることにより、ミラーユニット３０の上方空間が急激に狭まるため、その上方空間の空気の多くは、ミラーユニット３０の前方、つまりミラーユニット３０と交換レンズ２００との間の空間を、比較的急速な流れとなって下降する（矢印Ｃ）。このとき、空気中のゴミも空気の流れに乗って同方向に移動する。
【００２４】
下降した空気は、ミラーボックス２０の底板２１にぶつかって方向を変え、シャッタ１２側に向かう空気の流れが生ずる（矢印Ｄ）。その後、図１２のようにミラーユニット３０が撮影位置に達し、シャッタ１２が開くと、シャッタ１２側に向かった空気がシャッタ開口（スリット開口）Ｓを通過して撮像ユニット１３に到達し、空気に運ばれてきたゴミが光学フィルタ１３ｂの前面に付着する。
【００２５】
次に、空気排出通路４０による防塵作用について説明する。
流入部４１の位置は、図８に示すように、ミラーユニット３０の跳ね上げによって下降してくる空気の流れ（矢印Ｃ）のほぼ真下であるから、下降してきた空気の多くはこの流入部４１から空気排出通路４０に進入する（矢印Ｆ）。排出部４２を閉止している逆止弁４３は、空気排出通路４０に進入した空気の流れにより、弁体４３が不図示のバネによる付勢力に抗して回動して空気排出通路４０を開放する。その結果、空気排出通路４０に進入した空気は、排出部４２から外界に排出される。これにより、空気に乗ってきた多くのゴミも外界に排出される。したがって、ミラーボックス底板２１上をＤ方向に向かう空気（ゴミ）は従来と比べて大幅に少なくなり、図９のようにシャッタ走行後に光学フィルタ１３ｂに付着するゴミの量も少なくなる。
【００２６】
流入部４１を形成する位置としては、ミラーユニット３０によって発生する空気の流れを利用してゴミをミラーボックス２０の外に排気し、図１１のＤ方向に向かう空気の流れを減らせばよいので、次のような位置が考えられる。
流入部４１をミラーボックス２０の底板２１の、ミラーユニット３０のレンズ側端部よりもレンズ側の領域にのみ形成する。また、流入部４１の少なくとも一部がミラーユニット３０のレンズ側端部よりもレンズ部分の領域に配置されるように形成しても構わない。また、ミラーボックス２０の底板２１または上板の、ミラーユニット３０の回動方向（図１１のＣの方向またはその逆方向）の領域に設けても構わない。また、底板２１でのレンズの光軸に直交する方向（図６において縦方向での位置）での位置は、レンズの光軸に近い中央部が好ましく、その縦方向（図６における縦方向）の長さはミラーユニット３０の幅と同じまたはそれよりも小さくすることが好ましいが、ミラーユニット３０の幅よりも大きくしても構わない。また流入部４１は、ミラーボックス２０の、観察位置にあるミラーユニット３０と撮影レンズの光軸との交点よりも撮影レンズ側の領域に設けても構わない。
【００２７】
排出部４２を形成する位置としては、流入部４１を形成する位置の近傍とすることで、空気排出通路４０の経路長をできるだけ短くして、通気抵抗を抑制することが望ましい。また、カメラボディ１００内に配設された構成部品等を避けて空気排出通路４０を設ける必要がある。そのため、上述したように、排出部４２はレンズマウント１１の下方に設けることが望ましい。
【００２８】
このように本実施形態では、ミラーボックス２０内の空間と外界とを連通する空気排出通路４０を設けることで、撮像ユニット１３へのゴミの付着量を低減することができる。
【００２９】
以上は撮影時のミラー駆動に伴うゴミ排出動作について説明したが、撮影時以外のゴミ排出動作について説明する。
例えばレンズ交換時には、外部のゴミがミラーボックス２０内に侵入するおそれがある。レンズ交換後、制御回路７１は、交換レンズ２００が装着されたことを検出してミラーユニット３０を観察位置（ミラーダウン位置）から撮影位置（ミラーアップ位置）に跳ね上げ、次いで観察位置に戻す。このミラー駆動は、シャッタ１２を閉じた状態で行う。これにより、ミラーボックス２０に侵入したゴミの多くを流入部４１および空気排出通路４０を経由して排出部４２から外界に排出できる。その後、撮影時のミラー駆動によってもゴミ排出がなされるので、光学フィルタ１３ｂへのゴミの付着量をより低減することができる。
【００３０】
レンズ装着時以外にも、例えばカメラへの電源オン時またはオフ時にゴミ排出のためレンズ交換時と同様ミラー駆動を行うようにしてもよい。あるいは、操作者の特定操作（ゴミ排出操作）に応じてゴミ排出のため同様にミラー駆動を行うようにしてもよい。いずれの場合も、ミラー駆動は外部からのゴミの侵入が遮断された状態、つまりレンズマウント１１に交換レンズ２００あるいはキャップが装着されているときにのみ許容されるようにすることが望ましい。また、上記撮影時以外のミラー駆動は、１回でも効果があるが、複数回繰り返すことでより多くのゴミを排出できる。
【００３１】
さらに、光学フィルタ１３ｂに付着してしまったゴミを除去する目的でミラー駆動を行うようにしてもよい。このゴミ除去のためのミラー駆動は、シャッタ１２を開いた状態で行う。上述とは逆に、ミラーユニット３０が撮影位置から観察位置に下降するときに、ミラーユニット３０の下側の空気がシャッタ開口を通して光学フィルタ１３ｂの前面にぶつかり、ゴミを払い落とす役割を果たす。ミラーユニット３０が下降するのでミラーユニット３０の下方空間が急激に狭まるため、下方空間の空気の多くはミラーユニット３０の下方の空間を前方に流れ、ミラーユニット３０の前方の空間に移動する。この流れによってゴミがミラーユニット３０の前方の空間に運ばれ、次回以降のミラーユニット３０の動作により、流入部４１および空気排出通路４０を経由して排出部４２から外界に排出できる。
【００３２】
また、シャッタ１２が開いた状態で、ミラーユニット３０を撮影位置から観察位置へ回動し、シャッタ１２を閉じた状態で、ミラーユニット３０を観察位置から撮影位置へ回動させても構わない。ミラーユニット３０が撮影位置から観察位置へ回動するときは、シャッタ１２が開いているので、ミラーユニット３０の下側の空気がシャッタの開口を通って光学フィルタ１３ｂの前面にぶつかってゴミを払い落とす。次に、ミラーユニット３０が観察位置から撮影位置に回動するときには、シャッタ１２が閉じた状態になっており、ミラーボックス２０のゴミを流入部４１から排出する。この動作を少なくとも１回、好ましくは複数回行うことによって、光学フィルタ１３ｂに付着したゴミを除去することができる。この場合のミラー駆動も、レンズマウント１１に交換レンズ２００あるいはキャップが装着されているときにのみ許容されるようにすることが望ましい。この操作を電源オン時またはオフ時や、操作者の特定の操作に応じて行ってもよい。また、光学フィルタ１３ｂにゴミが付着しているかどうかを、撮影画像から判断し、ミラー駆動によってゴミの除去を行っても構わない。この場合、ゴミの付着を判断しやすいように白い物体を撮影してその撮影画像からゴミを判断してもよい。また、ゴミが付着しているかどうかの判断を制御部で行い、自動的にミラー駆動を行ってゴミの除去を行っても構わない。
【００３３】
また、撮像ユニットを振動させてゴミを払い落とす従来方式と併用し、撮像ユニットを振動させながら上述したゴミ除去のためのミラー駆動を行うことで、振動と空気流の相乗効果によりゴミ除去効率がアップする。以下、この場合の動作について説明する。
【００３４】
まずシャッタ１２を開いた状態で、光学フィルタ１３ｂに付着したゴミを除去するために光学フィルタ１３ｂの振動を開始する。次に、ミラーユニット３０を複数回駆動させることによって、ゴミを流入部４１から排出させる。ミラーユニット３０の駆動が終了したらシャッタ１２を閉じ、光学フィルタ１３ｂの振動を停止する。光学フィルタ１３ｂを振動させることによって付着したゴミを除去し、ミラーユニット３０の駆動によって、除去されたゴミを流入部４１から排出する。またミラーユニット３０を駆動することによって光学フィルタ１３ｂの表面に残存しているゴミを除去することもできる。なお、ミラーユニット３０の駆動方向に特に制限はないが、最初にミラーユニット３０を撮影位置に配置し、そこから観察位置に駆動する動作を行う方が好ましい。
【００３５】
なお、シャッタを開いた状態で、光学フィルタ１３ｂを駆動させてゴミを除去し、ミラーユニット３０を駆動させる前に、シャッタ１２を閉じて光学フィルタ１３ｂの振動を停止させても構わない。また、光学フィルタ１３ｂの振動は最初だけ行っても構わない。これらのゴミ除去の動作は、レンズマウント１１に交換レンズ２００あるいはキャップが装着されているときのみに許容されるようにすることが望ましい。
【００３６】
さらに、例えば特開２００２−３００４４２号公報（引用文献１）に記載されたような方法でゴミ検出を行い、その結果に基づいてゴミ除去が必要か否かを判定し、必要と判断した場合に上記ゴミ除去のためのミラー駆動を行うようにしてもよい。
【００３７】
なお、流入部４１の個数や形状は問わない。また上述した実施形態では、観察位置にあるミラーユニット３０のレンズ側端部よりもレンズ側の部分に流入部４１を設けたが、例えば図１３（ａ），（ｂ）に示すように、流入部４１をより後方に延長して設けてもよい。さらに図１４に示すように、流入部４１をレンズ側に延長してもよい。
【００３８】
また流入部４１は、観察位置にあるミラーユニット３０のレンズ側端部よりも更にレンズ側の部分を含むという条件を満たせば、ミラーボックス底板２１以外の面に設けてもゴミ排出効果が期待できる。図１５は、ミラーボックス底板２１の流入部４１に加えて、側壁２２に流入部４５をそれぞれ設けた例を示している。ミラーボックス上板に設けてもよい。
【００３９】
なお、排出部４２の位置、形状、数は、上述した流入部４１，４５の位置、形状、数、および、空気排出通路４０の配設位置・経路によって適宜設定すればよい。ただし、上述したように、流入部４１，４５を形成する位置の近傍に排出部４２を設けることで、空気排出通路４０の経路長をできるだけ短くして、通気抵抗を抑制することが望ましい。
【００４０】
また、上述の実施形態ではミラーユニット３０がカメラ横方向の軸回りに回動する例を示したが、ミラーユニットがカメラ上下方向の軸回りに回動するカメラにも本発明を同様に適用できる。
【００４１】
上述した第１の実施の形態のデジタルカメラでは、次の作用効果を奏する。
（１）  ミラーボックス２０内の空間とカメラボディ１００の外部（外界）とを連通する空気排出通路４０を設け、ミラーユニット３０の回動によって移動するミラーボックス２０内の空気を空気排出通路４０を経由して外部へ排出できるように構成した。これにより、ミラーボックス２０内のゴミを外部に排出して、光学フィルタ１３ｂへのゴミの付着を抑制できる。
【００４２】
（２）  流入部４１をミラーボックス２０の底板２１に設けるように構成した。すなわち、ミラーユニット３０の回動よって移動する空気の流れによってゴミを効果的に外部へ排出できる位置に流入部４１を設けたので、光学フィルタ１３ｂへのゴミの付着を効果的に抑制できる。また、排出部４２をレンズマウント１１の下方に設けるように構成した。これにより、流入部４１と排出部４２とを結ぶ空気排出通路４０の経路長を短縮化できるので、通気抵抗を抑制して、ミラーユニット３０の回動よって移動する空気およびゴミを効率よく外界に排出できる。
【００４３】
（３）  空気排出通路４０上に空気排出通路４０を閉止または開放する逆止弁４３を設けるように構成した。これにより、排出部４２から空気排出通路４０を介してミラーボックス２０内の空間にゴミが侵入するのを防止できる。
【００４４】
（４）  逆止弁４３を排出部４２の近傍に設けるように構成した。したがって、排出部４２の開口が逆止弁４３の弁体４３０で閉止されることになる。これにより、排出部４２に外界からのゴミが堆積し難くなり見栄えがよくなる。また、カメラボディ１００を前方から見たときに、排出部４２の開口が開放されたままにならないので見栄えがよくなる。
【００４５】
（５）  流入部４１から空気排出通路４０に進入した空気の流れにより、弁体４３０が不図示のバネによる付勢力に抗して回動して空気排出通路４０を開放するように構成した。これにより、弁体４３０の駆動機構が不要となり、コストダウンできる。
【００４６】
（６）  前カバー１０１の前面から排出部４２に蓋４４を取り付けられるように構成した。これにより、デジタルカメラの不使用時などに蓋４４を排出部４２に装着することで、振動などによって逆止弁４３が開いてもミラーボックス２０内へのゴミ侵入を防止できる。
【００４７】
−−−第２の実施の形態−−−
図１６〜１９を参照して、本発明によるデジタルカメラの第２の実施の形態を説明する。以下の説明では、第１の実施の形態と同じ構成要素には同じ符号を付して相違点を主に説明する。特に説明しない点については、第１の実施の形態と同じである。本実施の形態では、主に、ミラーユニット３０の回動に連動して弁体４３０を開閉駆動する逆止弁駆動機構を備えている点で、第１の実施の形態と異なる。
【００４８】
図１６は、逆止弁駆動機構４００の構造を模式的に示す図であり、ミラーダウン位置とミラーアップ位置の中間位置の近傍にミラーユニット３０が位置しているときの状態を示している。逆止弁駆動機構４００は、ミラー当接レバー４４０と、連結レバー４５０と、弁体回動レバー４６０とを備えている。ミラー当接レバー４４０は、略一方向に向かって延在する部材であり、カメラボディ１００に固定された軸４４２によって一端４４１が回動可能に軸支されている。ミラー当接レバー４４０の他端４４３の近傍では、メインミラーユニット３１の側面に植設されたピン３１ａがミラー当接レバー４４０の下方から当接する。なお、ミラーダウン位置では、ピン３１ａとミラー当接レバー４４０とは離間する。
【００４９】
連結レバー４５０は、略一方向に向かって延在する部材であり、一端４５１がミラー当接レバー４４０の一端４４１と他端４４３との間で軸４５２によって回動可能に軸支されている。連結レバー４５０の他端４５３は、軸４５４によって、後述する弁体回動レバー４６０の腕４６２と回動可能に連結されている。
【００５０】
弁体回動レバー４６０は、略Ｔ字状の形状を呈するレバーであり、図１６において略上下方向に延在する腕４６１と、略左右方向に延在する腕４６２とを有する。腕４６１は、下端４６１ａがカメラボディ１００に固定された軸４６３によって回動可能に軸支されている。腕４６１は上端で腕４６２と略直交する。腕４６２の右側の端部４６２ａは、軸４５４によって連結レバー４５０の他端４５３と回動可能に連結されている。腕４６２の左側の端部４６２ｂは、弁体４３０の後述する当接部４３３に当接する。
【００５１】
図１７は、弁体４３０の斜視図である。弁体４３０は、弁体部４３１と、軸部４３２と、当接部４３３とを有する。弁体部４３１は、空気排出通路４０を開放または閉止する部位であり、空気排出通路４０の断面形状に合わせて略長方形形状を呈する、板状の部位である。軸部４３２は、弁体４３０の回動軸であり、略長方形形状の弁体部４３１の長辺方向に延在して、カメラボディ１００に回動可能に支持される。当接部４３３は、略長方形形状の弁体部４３１の一方の短辺に、当該短辺の延在方向とは略直交する方向に延在する板状の部位である。
【００５２】
図１６に示すように、弁体４３０は、カメラボディ１００に一端が固定されたバネ４３５によって、軸部４３２を中心として図示反時計方向に付勢されている。これにより、弁体部４３１が前カバー１０１に形成された当接部１０１ａと当接するので、弁体４３０は空気排出通路４０を閉止する。バネ４３５の付勢力によって反時計方向に回動された弁体４３０は、当接部４３３が弁体回動レバー４６０の腕４６２の左側の端部４６２ｂを押圧して、弁体回動レバー４６０を時計方向に回動させる。時計方向に回動された弁体回動レバー４６０は、腕４６２の右側の端部４６２ａで軸４５４によって連結された連結レバー４５０を図示下方に移動させる。これにより、連結レバー４５０が軸４４２を中心としてミラー当接レバー４４０を図示時計方向に回動させる。
【００５３】
図１８は、ミラーアップ時の逆止弁駆動機構４００の状態を示す図であり、図１９は、逆止弁駆動機構４００の動作状態を示す図である。ミラーユニット３０が観察位置（ミラーダウン位置）から撮影位置（ミラーアップ位置）に跳ね上げられると、離間していたメインミラーユニット３１のピン３１ａとミラー当接レバー４４０とが当接して、ピン３１ａが他端４４３を押し上げて、軸４４２を中心としてミラー当接レバー４４０を図示反時計方向に回動させる。ミラー当接レバー４４０の回動により、連結レバー４５０が上方に引き上げられるので、連結レバー４５０が弁体回動レバー４６０の腕４６２の右側端部４６２ａを上方に引き上げる。これにより、弁体回動レバー４６０が軸４６３を中心として図示反時計方向に回動されるので、腕４６２の左側の端部４６２ｂが弁体４３０の当接部４３３を下方に押圧する。
【００５４】
弁体４３０は、腕４６２の左側の端部４６２ｂによって当接部４３３が下方に押圧されると、バネ４３５の付勢力に抗して軸部４３２を中心に図示時計方向に回動されるので、弁体部４３１が前カバー１０１の当接部１０１ａから離間する。これにより、弁体４３０は、空気排出通路４０を開放する。すなわち、流入部４１から空気排出通路４０に進入した空気は、弁体部４３１と当接部１０１ａとの間を通過して排出部４２から外界へ排気される。
【００５５】
ミラーユニット３０が撮影位置（ミラーアップ位置）から観察位置（ミラーダウン位置）に戻ると、バネ４３５の付勢力によって弁体４３０が図示反時計方向に回動され、弁体回動レバー４６０が図示時計方向に回動され、連結レバー４５０が引き下げられ、ミラー当接レバー４４０が図示時計方向に回動される。弁体部４３１が前カバー１０１の当接部１０１ａと当接するので、弁体４３０は空気排出通路４０を閉止する。
【００５６】
上述した第２の実施の形態のデジタルカメラでは、第１の実施の形態の作用効果に加えて、次の作用効果を奏する。
（１）  逆止弁駆動機構４００によってミラーユニット３０の回動に連動して弁体４３０を開閉駆動するように構成した。これにより、ミラーユニット３０の回動に連動して弁体４３０を確実に開閉できる。また、第１の実施の形態における、弁体４３０を付勢するバネの付勢力が空気排出時の抵抗とならない。したがって、ミラーユニット３０の回動よって移動する空気およびゴミを効率よく外界に排出できる。
【００５７】
なお、上述した各実施の形態および変形例は、それぞれ組み合わせてもよい。
【００５８】
本発明は、上述した実施の形態のものに何ら限定されず、カメラ本体に対して着脱可能な撮影レンズからの光束を撮像ユニットに導く空間を形成する導光部と、導光部の内部に配置され、撮影レンズから撮像ユニットまでの撮影光路に挿入されて光束を反射する観察位置と撮影光路から退避する撮影位置との間を回動可能なミラーユニットと、導光部とカメラ本体の外部とを連通して、ミラーユニットの回動によって移動する空気を導光部からカメラ本体の外部へ排出する通路であって、ミラーユニットの回動によって移動する空気が流入する流入部と、流入した空気が排出される排出部とを有する空気排出通路とを備える各種構造のデジタルカメラを含むものである。
【図面の簡単な説明】
【００５９】
【図１】第１の実施の形態におけるデジタルカメラの正面図である。
【図２】図１のＡ−Ａ線断面図である。
【図３】デジタルカメラの概略構成を示すブロック図である。
【図４】ミラーボックス付近の拡大図である。
【図５】ミラーボックス付近の拡大図である。
【図６】ミラーボックス２０を上方（ファインダ側）から見た概略図である。
【図７】排出部４２の近傍を拡大した断面図である。
【図８】ミラーの回動途中の状態を示す図である。
【図９】ミラーが撮影位置に回動した状態を示す図である。
【図１０】空気排出通路４０が設けられていない従来カメラを示す図である。
【図１１】空気排出通路４０が設けられていない従来カメラを示す図である。
【図１２】空気排出通路４０が設けられていない従来カメラを示す図である。
【図１３】流入部４１の変形例を示す図である。
【図１４】流入部４１の変形例を示す図である。
【図１５】流入部４１の変形例を示す図である。
【図１６】第２の実施の形態の逆止弁駆動機構４００の構造を模式的に示す図である。
【図１７】弁体４３０の斜視図である。
【図１８】ミラーアップ時の逆止弁駆動機構４００の状態を示す図である。
【図１９】逆止弁駆動機構４００の動作状態を示す図である。
【符号の説明】
【００６０】
１１  レンズマウント                      １２  シャッタ
１３  撮像ユニット                        ２０  ミラーボックス
３０  ミラーユニット                      ３１  メインミラーユニット
４０  空気排出通路                        ４１  流入部
４２  排出部                              ４３  排気弁（逆止弁）
４４  蓋                                  １００  カメラボディ
２００  交換レンズ（撮影レンズ）          ４００  逆止弁駆動機構
【図１】
2009058719.tif 000003
【図２】
2009058719.tif 000004
【図３】
2009058719.tif 000005
【図４】
2009058719.tif 000006
【図５】
2009058719.tif 000007
【図６】
2009058719.tif 000008
【図７】
2009058719.tif 000009
【図８】
2009058719.tif 000010
【図９】
2009058719.tif 000011
【図１０】
2009058719.tif 000012
【図１１】
2009058719.tif 000013
【図１２】
2009058719.tif 000014
【図１３】
2009058719.tif 000015
【図１４】
2009058719.tif 000016
【図１５】
2009058719.tif 000017
【図１６】
2009058719.tif 000018
【図１７】
2009058719.tif 000019
【図１８】
2009058719.tif 000020
【図１９】
2009058719.tif 000021